(57)【要約】【課題】ウェブページ上に、アクセス元地域と情報提供対象とする商品またはサービスの提供地とを対比するための対比情報を表示すること。【解決手段】アクセス元端末１００は、ウェブサイトへのアクセス元地域を特定し、特定したアクセス元地域と、ウェブサイトにおいて情報提供対象とする商品またはサービスの提供地とを対比するための対比情報を取得し、取得した対比情報を、情報提供対象とする商品またはサービスの情報とともに、ウェブページ上に表示する。【選択図】図１
2015222506.tif 000002
【特許請求の範囲】
【請求項１】
ウェブサイトを構成するウェブページを表示する際に実行されるウェブページ表示プログラムであって、
前記ウェブサイトへアクセスするアクセス元端末のアクセス元地域を特定するアクセス元地域特定手順と、
前記アクセス元地域特定手順で特定した前記アクセス元地域と、前記ウェブサイトにおいて情報提供対象とする商品またはサービスの提供地とを対比するための対比情報を取得する対比情報取得手順と、
前記対比情報取得手順で取得した前記対比情報を、前記情報提供対象とする商品またはサービスの情報とともに、前記ウェブページ上に表示する表示手順とを、コンピュータに実行させるためのウェブページ表示プログラム。
【請求項２】
請求項１に記載のウェブページ表示プログラムにおいて、
前記対比情報取得手順は、前記アクセス元地域の気象情報と、前記提供地の気象情報を前記対比情報として取得することを特徴とするウェブページ表示プログラム。
【請求項３】
請求項２に記載のウェブページ表示プログラムにおいて、
前記表示手順は、前記ウェブページ内で、前記アクセス元地域の気象情報と前記提供地の気象情報とを、並べて表示することを特徴とするウェブページ表示プログラム。
【請求項４】
請求項２または３に記載のウェブページ表示プログラムにおいて、
前記対比情報取得手順は、気象情報を提供する外部のサーバーから、通信回線を介して、前記アクセス元地域の気象情報と前記提供地の気象情報を取得することを特徴とするウェブページ表示プログラム。
【請求項５】
請求項１〜４のいずれか一項に記載のウェブページ表示プログラムにおいて、
前記対比情報取得手順は、前記アクセス元地域から前記提供地へ移動するための交通手段を示す交通手段情報を前記対比情報として取得することを特徴とするウェブページ表示プログラム。
【請求項６】
請求項５に記載のウェブページ表示プログラムにおいて、
前記提供地までの前記交通手段情報は、前記アクセス元地域として想定される各地域ごとにあらかじめ記録装置に記録されており、
前記表示手順は、前記アクセス元地域特定手段によって特定された前記アクセス元地域に応じた前記交通手段情報を前記記録装置から取得して前記ウェブページに表示することを特徴とするウェブページ表示プログラム。
【請求項７】
請求項１〜６のいずれか一項に記載のウェブページ表示プログラムにおいて、
前記ウェブサイトの提供者から前記アクセス元端末のユーザに宛てたメッセージ情報を取得するメッセージ情報取得手順をさらに有し、
前記表示手順は、前記メッセージ情報取得手順で取得した前記メッセージ情報を前記ウェブページ上に表示することを特徴とするウェブページ表示プログラム。
【請求項８】
請求項１〜７のいずれか一項に記載のウェブページ表示プログラムにおいて、
前記アクセス元地域特定手順は、前記アクセス元端末のＩＰアドレスに基づいて、前記アクセス元地域を特定することを特徴とするウェブページ表示プログラム。
【請求項９】
請求項１〜８のいずれかに記載のウェブページ表示プログラムを実行する実行手段を備えたアクセス元端末。
【発明の詳細な説明】
【技術分野】
【０００１】
本発明は、ウェブページ表示プログラム、およびアクセス元端末に関する。
【背景技術】
【０００２】
次のような推奨リンクの自動生成方法が知られている。この推奨リンクの自動生成方法では、ＩＰアドレスに基づいてアクセス元の端末が存在する地域を特定し、その地域に応じた情報を送信する（例えば、特許文献１）。
【先行技術文献】
【特許文献】
【０００３】
【特許文献１】特表２００８−５１３８８７号公報
【発明の概要】
【発明が解決しようとする課題】
【０００４】
しかしながら、従来の推奨リンクの自動生成方法では、ＩＰアドレスに基づいてアクセス元の地理的位置を特定して情報を送信するのみであったため、アクセス元地域とウェブサイトにおいて情報提供対象とする商品またはサービスの提供地とを対比した情報をアクセス元のユーザに提供することはできなかった。
【課題を解決するための手段】
【０００５】
本発明によるウェブページ表示プログラムは、ウェブサイトを構成するウェブページを表示する際に実行されるウェブページ表示プログラムであって、ウェブサイトへアクセスするアクセス元端末のアクセス元地域を特定するアクセス元地域特定手順と、アクセス元地域特定手順で特定したアクセス元地域と、ウェブサイトにおいて情報提供対象とする商品またはサービスの提供地とを対比するための対比情報を取得する対比情報取得手順と、対比情報取得手順で取得した対比情報を、情報提供対象とする商品またはサービスの情報とともに、ウェブページ上に表示する表示手順とを、コンピュータに実行させることを特徴とする。
本発明によるアクセス元端末は、上記のウェブページ表示プログラムを実行する実行手段を備えることを特徴とする。
【発明の効果】
【０００６】
本発明によれば、アクセス元地域とウェブサイトにおいて情報提供対象とする商品またはサービスの提供地とを対比した情報をアクセス元のユーザに提供することができる。
【図面の簡単な説明】
【０００７】
【図１】ウェブサイト表示システム１０の一実施の形態の構成を示すブロック図である。
【図２】アクセス元端末１００として、パソコンを用いた場合の一実施の形態の構成を示すブロック図である。
【図３】ウェブページ表示プログラムによる処理の流れを示すフローチャート図である。
【図４】交通手段情報として用いる画像データの一例を示す図である。
【図５】ウェブページ上に表示される対比情報の一例を示す図である。
【図６】ウェブページ上に、対比情報とともにメッセージ情報を表示した場合の一例を示す図である。
【発明を実施するための形態】
【０００８】
図１は、本実施の形態におけるウェブサイト表示システムの一実施の形態の構成を示すブロック図である。ウェブサイト表示システム１０では、アクセス元端末１００と、ウェブサーバー２００と、アクセス元地域特定用サーバー３００と、気象情報特定用サーバー４００とがインターネット等の通信回線を介して接続されている。
【０００９】
アクセス元端末１００は、ウェブサイトを閲覧するユーザが所持する端末であって、例えば、パーソナルコンピュータ（以下、「パソコン」と呼ぶ）、スマートフォン、携帯電話、タブレット端末といった種々の情報端末が用いられる。
【００１０】
図２は、本実施の形態におけるアクセス元端末１００として、パソコンを用いた場合の一実施の形態の構成を示すブロック図である。アクセス元端末１００は、操作部材１０１と、接続ＩＦ１０２と、制御装置１０３と、記録装置１０４と、表示装置１０５とを備えている。
【００１１】
操作部材１０１は、アクセス元端末１００のユーザによって操作される種々の装置、例えばキーボードやマウスを含む。
【００１２】
接続ＩＦ１０２は、アクセス元端末１００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、アクセス元端末１００は、この接続ＩＦ１０２を介してインターネットに接続し、ウェブサーバー２００上で公開されているウェブサイトにアクセスすることができる。
【００１３】
制御装置１０３は、ＣＰＵ、メモリ、およびその他の周辺回路によって構成され、アクセス元端末１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ１０２を介して読み込まれたデータは、バッファメモリに一時的に記録される。
【００１４】
記録装置１０４は、アクセス元端末１００が蓄える種々のデータや、制御装置１０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置１０４に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置１０４にインストールすることによって、制御装置１０３がプログラムを実行できるようになる。本実施の形態では、記録装置１０４には、ウェブページを表示する機能を有するウェブブラウザ（以下、「ブラウザ」と呼ぶ）のプログラムがインストールされており、ユーザは、ブラウザを利用して、少なくとも１つのウェブページで構成されるウェブサイトを閲覧することができる。
【００１５】
表示装置１０５は、例えば液晶モニタであって、制御装置１０３から出力される種々の表示用データが表示される。本実施の形態では、ユーザは、表示装置１０５上にブラウザを表示して、ウェブサイトを閲覧することができる。
【００１６】
ウェブサーバー２００は、アクセス元端末１００上で動作するブラウザからのアクセス要求に応じて、ウェブサイトを構成するウェブページの表示を提供する機能を備えるサーバコンピュータである。このウェブサーバー２００の構成は、公知のサーバコンピュータと同様のため、図示および説明を省略する。なお、ウェブサイトは、ＨＴＭＬで記述された少なくとも１つのウェブページで構成され、ウェブサーバー２００には、ウェブサイトを構成するウェブページのデータが記録される。また、ウェブページ上に表示される画像データやウェブページ上で動作するプログラム等のオブジェクトのデータもウェブサーバー２００に記録される。
【００１７】
ウェブサイトを介して情報を提供しようとする情報提供者は、ウェブサーバー２００にウェブページやオブジェクトをアップロードすることにより、アクセス元端末１００からブラウザ上でＵＲＬを指定してアクセスしてくるサイトの閲覧者に対して、ウェブサイトを介した情報提供を行うことができる。なお、ウェブサーバー２００へのウェブページやオブジェクトのアップロードは、情報提供者自身が行なってもよいし、情報提供者からウェブサイトの作成および公開の依頼を受けた第三者が行なってもよい。
【００１８】
アクセス元地域特定用サーバー３００は、アクセス元端末１００のＩＰアドレスに基づいて、アクセス元端末１００のアクセス元地域を特定する機能を備えたサーバコンピュータである。本実施の形態では、アクセス元地域特定用サーバー３００は、アクセス元端末１００からＩＰアドレスを受信すると、都道府県レベルでアクセス元地域を特定し、特定したアクセス元地域を識別するための識別情報をアクセス元端末１００へ送信する機能を有している。識別情報としては、例えば、日本の４７の各都道府県に０１〜４７のコードを付したものを用いればよい。
【００１９】
アクセス元地域特定用サーバー３００は、ＩＰアドレスに基づいてアクセス元地域を特定するサービスを提供する企業によって運営されており、本実施の形態におけるウェブサイト表示システム１０では、アクセス元地域特定用サーバー３００を運営する企業によって提供されるサービスを利用する例について説明する。なお、アクセス元端末１００のＩＰアドレスに基づいて、アクセス元端末１００のアクセス元地域を特定する技術は公知であるため、本実施の形態では詳細な説明を省略する。また、アクセス元地域特定用サーバー３００の構成は、公知のサーバコンピュータと同様のため、図示および説明を省略する。
【００２０】
気象情報特定用サーバー４００は、地域ごとの気象情報を特定する機能を備えたサーバコンピュータである。本実施の形態では、気象情報特定用サーバー４００は、アクセス元端末１００から都道府県レベルでアクセス元地域を特定するための情報を受信すると、アクセス元地域の都道府県の県庁所在地における最新の気象情報を特定し、特定した気象情報をアクセス元端末１００へ送信する機能を有している。
【００２１】
気象情報特定用サーバー４００は、地域ごとの気象情報を特定するサービスを提供する企業によって運営されており、本実施の形態におけるウェブサイト表示システム１０では、気象情報特定用サーバー４００を運営する企業によって提供されるサービスを利用する例について説明する。なお、地域ごとの気象情報を特定する技術は公知であるため、本実施の形態では詳細な説明を省略する。また、気象情報特定用サーバー４００の構成は、公知のサーバコンピュータと同様のため、図示および説明を省略する。
【００２２】
本実施の形態におけるウェブサイト表示システム１０では、アクセス元端末１００の制御装置１０３は、ウェブサーバー２００にアクセスしてウェブページを表示するに当たり、アクセス元端末１００が存在する地域、すなわちアクセス元地域と、ウェブサイトにおいて情報提供対象とされている商品またはサービスの提供地とを対比させた対比情報を、情報提供対象とする商品またはサービスの情報とともにウェブページ上に表示することができる。
【００２３】
対比情報の表示対象とするウェブページのソースコードには、対比情報を取得してウェブページ上に表示するための処理を行うウェブページ表示プログラムがあらかじめ埋め込まれている。このウェブページのソースコードに埋め込まれるプログラムは、ウェブページを表示するブラウザに実行環境が実装されていて、ブラウザ上で実行可能なプログラム言語、例えばＪａｖａＳｃｒｉｐｔ（登録商標）で記述されている。なお、ウェブページ表示プログラムは、そのコードをウェブページのソースコード内に含めることによって埋め込むようにしてもよいし、ソースコードを記述した外部ファイルを上述したオブジェクトとしてウェブサーバー２００に記録しておき、ウェブページのソースコード内に、該外部ファイルを呼び出すためのコードを記載することにより埋め込むようにしてもよい。
【００２４】
これにより、アクセス元端末１００のブラウザ上でウェブページ表示プログラムが埋め込まれたウェブページを表示する際に、ウェブページ表示プログラムが実行され、ブラウザ上には、対比情報が表示されたウェブページが表示されることになる。なお、複数のウェブページで構成されるウェブサイトにおいては、全てのウェブページにウェブページ表示プログラムを埋め込んでもよいし、トップページ等の特定のウェブページのみにウェブページ表示プログラムを埋め込んでもよく、どのウェブページにウェブページ表示プログラムを埋め込むかは、情報提供者が任意に決定することができる。
【００２５】
本実施の形態では、東京在住のアクセス元端末１００のユーザが、沖縄県那覇市にあるリゾートホテルのウェブサイトを閲覧する場合を想定して、処理の詳細について説明する。すなわち、以下の説明では、アクセス元端末１００のアクセス元地域は東京であり、ウェブサイトにおいて情報提供対象とされているサービスはリゾートホテルの宿泊サービスであり、この宿泊サービスの提供地はリゾートホテルの所在地である場合を想定する。
【００２６】
また、対比情報としては、アクセス元地域の気象情報と提供地の気象情報とを対比させた気象情報の対比情報と、アクセス元地域と提供地の地理的な位置を対比させた、アクセス元地域から提供地へ移動するための交通手段を示す交通手段情報とをウェブページ内に表示する例について説明する。これによって、本実施の形態では、アクセス元端末１００からで上記のリゾートホテルのウェブサイトにアクセスすると、アクセス元地域である東京と提供地であるリゾートホテルの所在地の気象情報、例えば天気と気温の情報を対比させた気象情報の対比情報がウェブページ内の所定位置に表示される。また、アクセス元地域である東京から提供地であるリゾートホテルの所在地へ移動するための交通手段を示す交通手段情報がウェブページ内の所定位置に表示される。これによって、アクセス元端末１００のユーザは、リゾートホテルのウェブサイト上で、今いる地域とリゾートホテルの所在地の気象状況の違いを把握したり、今いる地域からリゾートホテルへの交通手段を把握することができる。
【００２７】
以下、ウェブページ表示プログラムによる処理の詳細について、図３のフローチャートを用いて説明する。なお、図３に示す処理は、アクセス元端末１００のブラウザ上でウェブページ表示プログラムが埋め込まれたウェブページを表示する際に起動するプログラムとして、制御装置１０３によって実行される。
【００２８】
ステップＳ１０において、制御装置１０３は、アクセス元端末１００のＩＰアドレスを取得し、取得したＩＰアドレスをアクセス元地域特定用サーバー３００へ送信し、アクセス元地域特定用サーバー３００から、ＩＰアドレスに基づいて特定されたアクセス元地域を識別するための識別情報を受信することにより、アクセス元端末１００のアクセス元地域を特定する。本実施の形態では、このステップＳ１０の処理により、アクセス元地域として「東京」が特定される。その後、ステップＳ２０へ進む。
【００２９】
ステップＳ２０では、制御装置１０３は、ステップＳ１０で特定したアクセス元地域を特定するための情報を気象情報特定用サーバー４００へ送信し、気象情報特定用サーバー４００から、アクセス元地域の気象情報を受信することにより、アクセス元地域の気象情報を取得する。本実施の形態では、このステップＳ２０の処理により、アクセス元地域である「東京」の最新の天気と気温が特定される。
【００３０】
なお、制御装置１０３は、気象情報特定用サーバー４００へ送信するデータの形式が、ステップＳ１０でアクセス元地域特定用サーバー３００から受信した識別情報と同一の場合は、該識別情報をそのままアクセス元地域を特定するための情報として気象情報特定用サーバー４００へ送信すればよい。一方、気象情報特定用サーバー４００へ送信するデータの形式が、ステップＳ１０でアクセス元地域特定用サーバー３００から受信した識別情報と異なる場合には、制御装置１０３は、識別情報を気象情報特定用サーバー４００へ送信するデータの形式に変換し、変換した情報をアクセス元地域を特定するための情報として気象情報特定用サーバー４００へ送信すればよい。
【００３１】
その後、ステップＳ３０へ進み、制御装置１０３は、提供地を特定するための情報を気象情報特定用サーバー４００へ送信し、気象情報特定用サーバー４００から、提供地の気象情報を受信することにより、提供地の気象情報を取得する。本実施の形態では、このステップＳ３０の処理により、提供地であるリゾートホテルの所在地が存在する都道府県の県庁所在地、すなわち「那覇市」における最新の天気と気温が特定される。なお、ウェブサイトにおいて情報提供対象とされている商品またはサービスの提供地の都道府県は固定であるため、ステップＳ３０で気象情報特定用サーバー４００へ送信する提供地を特定するための情報は、あらかじめウェブページ表示プログラム内で定義されている。その後、ステップＳ４０へ進む。
【００３２】
ステップＳ４０では、制御装置１０３は、アクセス元地域から提供地へ移動するための交通手段を示す交通手段情報を取得する。本実施の形態では、アクセス元地域として想定される各都道府県から提供地であるリゾートホテルの所在地までの交通手段を模式的に図示した画像データがあらかじめウェブサーバー２００に記録されており、制御装置１０３は、ステップＳ１０で特定したアクセス元地域から提供地までの交通手段を表した画像データを交通手段情報としてウェブサーバー２００から取得する。
【００３３】
図４に、アクセス元地域から提供地までの交通手段を示す画像データの一例を示す。図４（Ａ）は、アクセス元地域が「東京」である場合の交通手段を表した画像データである。図４（Ｂ）は、アクセス元地域が「神奈川」である場合の交通手段を表した画像データである。図４（Ｃ）は、アクセス元地域が「大阪」である場合の交通手段を表した画像データである。本実施の形態では、ステップＳ４０において、アクセス元地域が「東京」である場合の交通手段情報として、図４（Ａ）に示す画像データが取得されることになる。その後、ステップＳ５０へ進む。
【００３４】
ステップＳ５０では、制御装置１０３は、ステップＳ２０で取得したアクセス元地域の気象情報とステップＳ３０で取得した提供地の気象情報を対比させた気象情報の対比情報と、ステップＳ４０で取得した交通手段情報とを、アクセス元地域と提供地とを対比するための対比情報として、ウェブページ内の所定位置に配置して、ブラウザ上にウェブページを表示して、処理を終了する。なお、ウェブページ内のどの位置に対比情報を表示するかは、ウェブページのソースコートまたはスタイルシート等によってあらかじめ定義されている。
【００３５】
図５は、本実施の形態において、ウェブページ上に表示される対比情報の一例を示す図である。図５に示す例では、対比情報として、アクセス元地域と提供地の気象情報の対比情報５ａと、アクセス元地域から提供地までの交通手段を示した交通手段情報５ｂとが表示された例を示している。気象情報の対比情報５ａでは、アクセス元地域の気象情報と提供地の気象情報とが並べて表示されており、気象情報に含まれる天気と気温のうち、天気については、それぞれ天気を表す画像５ｃおよび５ｄを用いて表示されている。すなわち、アクセス元地域の天気は晴れを示す画像５ｃを用いて表されており、提供地の天気は雨を示す画像５ｄを用いて表されている。
【００３６】
以上説明した本実施の形態によれば、以下のような作用効果を得ることができる。
（１）制御装置１０３は、ウェブサイトへアクセスするアクセス元端末のアクセス元地域を特定し、特定したアクセス元地域と、ウェブサイトにおいて情報提供対象とする商品またはサービスの提供地とを対比するための対比情報を取得し、取得した対比情報を、情報提供対象とする商品またはサービスの情報とともにウェブページ上に表示するようにした。これによって、アクセス元地域とウェブサイトにおいて情報提供対象とする商品またはサービスの提供地とを対比した情報をアクセス元端末１００のユーザに提供することができる。
【００３７】
（２）制御装置１０３は、アクセス元地域の気象情報と、提供地の気象情報を対比情報として取得するようにした。これによって、アクセス元端末１００のユーザに、ユーザの所在地の気象情報と、ウェブページで情報提供対象とされている商品やサービスの提供地の気象情報を提供することができる。
【００３８】
（３）制御装置１０３は、ウェブページ内で、アクセス元地域の気象情報と提供地の気象情報とを並べて表示するようにした。これによって、アクセス元端末１００のユーザは、ユーザの所在地の気象情報と、ウェブページで情報提供対象とされている商品やサービスの提供地の気象情報を容易に把握して対比させることができる。
【００３９】
（４）制御装置１０３は、気象情報特定用サーバー４００から、通信回線を介してアクセス元地域の気象情報と提供地の気象情報を取得するようにした。このように、気象情報の取得のために既存の外部サービスを利用するようにすれば、ウェブサイト表示システム１０を安価に構築することができる。
【００４０】
（５）制御装置１０３は、アクセス元地域から提供地へ移動するための交通手段を示す交通手段情報を対比情報として取得するようにした。これによって、アクセス元端末１００のユーザに、ユーザの所在地からウェブページで情報提供対象とされている商品やサービスの提供地までの移動方法を提供することができる。また、アクセス元端末１００のユーザは、ユーザの所在地から情報提供対象とされている商品やサービスの提供地までの交通手段を把握することができる。
【００４１】
（６）アクセス元地域から提供地までの交通手段情報は、アクセス元地域として想定される各地域ごとに、提供地までの交通手段を模式的に図示した画像データがあらかじめウェブサーバー２００に記録されており、制御装置１０３は、アクセス元地域に応じた画像データを交通手段情報としてウェブサーバー２００から取得して、ウェブページに表示するようにした。これによって、交通手段情報を提供するために、その都度、ルート検索処理を行う必要をなくすことができる。特に、上述したように、提供地が固定である場合には、アクセス元地域として想定される各都道府県さえわかれば、交通手段を特定することができるので、あらかじめ画像データを用意しておくことが容易であり、これにより、ルート検索処理のような無駄な処理を省くことができる。また、その都度ルート検索を行わずに、画像データを表示するだけで良いため、ウェブページ上への交通手段情報の表示レスポンスを向上させることができる。
【００４２】
（７）制御装置１０３は、アクセス元地域特定用サーバー３００を利用して、アクセス元端末のＩＰアドレスに基づいてアクセス元地域を特定するようにした。これによって、ＩＰアドレスに基づいてアクセス元地域を特定するための既存の技術を利用して、精度高くアクセス元地域を特定することができる。また、新規にアクセス元地域を特定するための技術を開発する必要がないため、ウェブサイト表示システム１０を安価に構築することができる。
【００４３】
―変形例―
なお、上述した実施の形態のウェブサイト表示システム１０は、以下のように変形することもできる。
（１）上述した実施の形態では、アクセス元端末１００のアクセス元地域は東京であり、ウェブサイトにおいて情報提供対象とされているサービスはリゾートホテルの宿泊サービスであり、この宿泊サービスの提供地はリゾートホテルの所在地である場合を想定する例について説明した。しかしながら、アクセス元地域、ウェブサイトにおいて情報提供対象とされる商品やサービス、およびその提供地は、これに限定されるものではない。
【００４４】
（２）上述した実施の形態では、アクセス元地域の気象情報と提供地の気象情報を対比させた気象情報の対比情報を表示するようにし、気象情報としては、天気と温度を表示する例について説明した。しかしながら、気象情報の対比情報の種類や内容は、これに限定されるものではない。例えば、アクセス元地域と提供地の間の気温差を算出し、算出した気温差を気象情報の対比情報に含めるようにしてもよい。また、アクセス元地域と提供地の湿度や、アクセス元地域と提供地の湿度の差を気象情報の対比情報に含めるようにしてもよい。また、アクセス元地域と提供地の紫外線量や、アクセス元地域と提供地の紫外線量の差を気象情報の対比情報に含めるようにしてもよい。
【００４５】
（３）上述した実施の形態では、アクセス元地域の気象情報と提供地の気象情報を対比させた気象情報の対比情報と、アクセス元地域と提供地の地理的な位置を対比させた、アクセス元地域から提供地へ移動するための交通手段を示す交通手段情報とを対比情報としてウェブページ内に表示する例について説明した。しかしながら、ウェブページ内に表示する対比情報は、気象情報の対比情報と交通手段情報のいずれか一方のみであってもよい。また、気象情報の対比情報と交通手段情報以外に、アクセス元端末１００のユーザに提供することが好ましい対比情報がある場合には、それらの対比情報を、気象情報の対比情報、交通手段情報とともに、または気象情報の対比情報、交通手段情報に代えて、ウェブページ内に表示するようにしてもよい。
【００４６】
（４）上述した実施の形態では、図５に示したように、アクセス元地域の天気と提供地の天気は、それぞれ天気を表す画像を用いて表示する例について説明した。しかしながら、アイコンを用いずに文字で表示してもよい。
【００４７】
（５）上述した実施の形態では、ウェブページに、アクセス元地域と、ウェブサイトにおいて情報提供対象とされている商品またはサービスの提供地とを対比させた対比情報を表示する例について説明した。しかしながら、対比情報に加えて、ウェブサイトの提供者からアクセス元端末のユーザに宛てたメッセージ情報を表示するようにしてもよい。ウェブページ情報に表示するメッセージ情報の一例を図６に示す。
【００４８】
図６では、図５に示した対比情報とともに、メッセージ情報６ａおよび６ｂが表示されている。例えば、「○○からの来沖お待ちしております」のように、アクセス元地域をパラメータで書き換え可能な文章を用意しておき、制御装置１０３は、この文字情報を取得するとともに、アクセス元地域に応じてパラメータ部分の「○○」を書き換え、図６に示すように、「東京からの来沖お待ちしております」のようなメッセージ情報６ａを表示すればよい。また、提供地のスタッフが、提供地の気象情報に対して、現地の実際の状況やアクセス元端末１００のユーザへの案内などのメッセージ文を入力して、ウェブサーバー２００へアップロードできるようにし、制御装置１０３は、ウェブサーバー２００からメッセージ文を取得してメッセージ情報６ｂを表示すればよい。これによって、気象情報特定用サーバー４００から自動取得された情報を、提供地のスタッフが補足して、アクセス元端末１００のユーザに様々な情報を発信することができる。なお、図６に示すメッセージ情報の表示例は一例であって、これに限定されるものではない。
【００４９】
（６）上述した実施の形態では、アクセス元地域特定用サーバー３００は、アクセス元端末１００からＩＰアドレスを受信すると、都道府県レベルでアクセス元地域を特定し、特定したアクセス元地域を識別するための識別情報をアクセス元端末１００へ送信する機能を有している例について説明した。しかしながら、アクセス元地域の特定レベルは、都道府県レベルに限定されるものではない。例えば、アクセス元地域特定用サーバー３００がアクセス元端末１００のＩＰアドレスに基づいて市町村レベルでアクセス元地域を特定可能であり、ウェブサイトの情報提供者が市町村レベルでアクセス元地域を特定して対比情報を提供することを希望する場合には、市町村レベルでアクセス元地域を特定すればよい。また、アクセス元地域特定用サーバー３００が海外からのアクセスに対して、国レベル、州レベルなどでのアクセス元地域の特定が可能な場合には、海外からのアクセスも想定した対比情報を提供することも可能となる。
【００５０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００５１】
１０  ウェブサイト表示システム
１００  アクセス元端末
１０１  操作部材
１０２  接続ＩＦ
１０３  制御装置
１０４  記録装置
１０５  表示装置
２００  ウェブサーバー
３００  アクセス元地域特定用サーバー
４００  気象情報特定用サーバー
【図１】
2015222506.tif 000003
【図２】
2015222506.tif 000004
【図３】
2015222506.tif 000005
【図４】
2015222506.tif 000006
【図５】
2015222506.tif 000007
【図６】
2015222506.tif 000008
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
ウェブサイトを構成するウェブページを表示する際に実行されるウェブページ表示プログラムであって、
前記ウェブサイトへアクセスするアクセス元端末のアクセス元地域を特定するアクセス元地域特定手順と、
あらかじめ記録装置に記録されている、前記アクセス元地域として想定される各地域から、前記ウェブサイトにおいて情報提供対象とする商品またはサービスの提供地までの交通手段を模式的に図示した画像データの中から、前記アクセス元地域特定手順で特定した前記アクセス元地域に応じた画像データを、前記アクセス元地域から前記提供地へ移動するための交通手段を示す交通手段情報として取得する交通手段情報取得手順と、
前記交通手段情報取得手順で取得した前記交通手段情報を、前記情報提供対象とする商品またはサービスの情報とともに、前記ウェブページ上に表示する表示手順とを、コンピュータに実行させるためのウェブページ表示プログラム。
【請求項２】
請求項１に記載のウェブページ表示プログラムにおいて、
前記アクセス元地域の気象情報と、前記提供地の気象情報を取得する気象情報取得手順をさらに有することを特徴とするウェブページ表示プログラム。
【請求項３】
請求項２に記載のウェブページ表示プログラムにおいて、
前記表示手順は、前記ウェブページ内に、前記気象情報取得手順で取得した前記アクセス元地域の気象情報と前記提供地の気象情報とを、並べて表示することを特徴とするウェブページ表示プログラム。
【請求項４】
請求項２または３に記載のウェブページ表示プログラムにおいて、
前記気象情報取得手順は、気象情報を提供する外部のサーバーから、通信回線を介して、前記アクセス元地域の気象情報と前記提供地の気象情報を取得することを特徴とするウェブページ表示プログラム。
【請求項５】
請求項１〜４のいずれか一項に記載のウェブページ表示プログラムにおいて、
前記ウェブサイトの提供者から前記アクセス元端末のユーザに宛てたメッセージ情報を取得するメッセージ情報取得手順をさらに有し、
前記表示手順は、前記メッセージ情報取得手順で取得した前記メッセージ情報を前記ウェブページ上に表示することを特徴とするウェブページ表示プログラム。
【請求項６】
請求項１〜５のいずれか一項に記載のウェブページ表示プログラムにおいて、
前記アクセス元地域特定手順は、前記アクセス元端末のＩＰアドレスに基づいて、前記アクセス元地域を特定することを特徴とするウェブページ表示プログラム。
【請求項７】
請求項１〜６のいずれかに記載のウェブページ表示プログラムを実行する実行手段を備えたアクセス元端末。
【手続補正２】
【補正対象書類名】明細書
【補正対象項目名】０００５
【補正方法】変更
【補正の内容】
【０００５】
本発明によるウェブページ表示プログラムは、ウェブサイトを構成するウェブページを表示する際に実行されるウェブページ表示プログラムであって、ウェブサイトへアクセスするアクセス元端末のアクセス元地域を特定するアクセス元地域特定手順と、
あらかじめ記録装置に記録されている、アクセス元地域として想定される各地域から、ウェブサイトにおいて情報提供対象とする商品またはサービスの提供地までの交通手段を模式的に図示した画像データの中から、アクセス元地域特定手順で特定したアクセス元地域に応じた画像データを、アクセス元地域から提供地へ移動するための交通手段を示す交通手段情報として取得する交通手段情報取得手順と、交通手段情報取得手順で取得した交通手段情報を、情報提供対象とする商品またはサービスの情報とともに、ウェブページ上に表示する表示手順とを、コンピュータに実行させることを特徴とする。
本発明によるアクセス元端末は、上記のウェブページ表示プログラムを実行する実行手段を備えることを特徴とする。